(57)【特許請求の範囲】
【請求項１】
埃除去具と剥離可能なその台紙の組合せであって、埃除去具に台紙が貼着され、台紙にはその台紙を吊り下げるための吊り下げ孔が設けられ、且つ吊り下げ孔は埃除去具に貼着していない台紙部分のみに設けられており、埃除去具は、被服等に付着している埃を取り去る埃除去シートと、該埃除去シートに重ねられた背面シートを有し、前記埃除去シートに粘着剤が塗布された粘着面が形成され、前記重ねられた両シートの間に指の挿入部を有し、且つ挿入部に指を挿し入れるための挿入口を有しており、前記挿入部は２又は３の挿入区域に分けられ、挿入区域は、前記両シートの先端から凹部を設けることにより形成されており、凹部には埃除去具に貼着していない台紙が存在し、前記吊り下げ孔の少なくとも一部が凹部内に入り込んでいることを特徴とする埃除去具と剥離可能なその台紙の組合せ。
【請求項２】
凹部によって分割された両シートの２つの先端のいずれよりも吊り下げ孔は凹部に入り込み、したがって、吊り下げ孔全体が凹部内に入り込んでいる請求項１記載の埃除去具と剥離可能なその台紙の組合せ。
【発明の詳細な説明】
【０００１】
【発明の属する技術分野】
本発明は、シートを重ね合わせて指の挿入部を形成し、その挿入部の中に指を挿し込んで被服等に宛がうことによって埃を除去する埃除去具に関する。この埃除去具は携帯してもよいが、主にビジネスホテルなどの宿泊施設の各部屋において宿泊客に使用してもらうためのものである。
【０００２】
【従来の技術】
従来のシート状埃除去具はほぼ矩形の袋状に形成され、袋の中に形成された挿入部も袋の形に合わせて単なる矩形の形状であった（例えば、特許文献１。）。
【０００３】
【特許文献１】
特開平１１−２５３３８３号公報
【０００４】
【発明が解決しようとする課題】
従来のシート状埃除去具は前述したように矩形の袋状に形成され、通常２本の指を挿入して使用する。しかし２本の指がちょうど納まるだけの大きさであると衣服全体を掃除する場合の効率が悪いので、それよりも大きく形成して粘着面を広くしている。また、粘着面を広くするために３本の指が入るように形成すると指の太い人と細い人の差が顕著になり、特に指の細い人はゆる過ぎて使用しづらくなる。
【０００５】
挿入部を２本分の指よりも大きく形成したときは、使用時に粘着面を広く使うため及び埃除去具が指から外れないようにするために、挿入した２本の指を広げて埃除去具を左右に広げて張る必要がある。三本の指が入るように形成したときも同様に左右に広げて張る必要がある。しかし、埃の除去作業中ずっと広げていることは指が疲れるので面倒な作業となってしまう。そこで本発明は、それほど強い力で広げて張らなくても粘着面を広く使うことができ、使用中に埃除去具が指から外れることのないシート状埃除去具を提供することを目的とする。
【０００６】
【課題を解決するための手段】
本発明の請求項１は、埃除去具と剥離可能なその台紙の組合せであって、埃除去具に台紙が貼着され、台紙にはその台紙を吊り下げるための吊り下げ孔が設けられ、且つ吊り下げ孔は埃除去具に貼着していない台紙部分のみに設けられており、埃除去具は、被服等に付着している埃を取り去る埃除去シートと、該埃除去シートに重ねられた背面シートを有し、前記埃除去シートに粘着剤が塗布された粘着面が形成され、前記重ねられた両シートの間に指の挿入部を有し、且つ挿入部に指を挿し入れるための挿入口を有しており、前記挿入部は２又は３の挿入区域に分けられ、挿入区域は、前記両シートの先端から凹部を設けることにより形成されており、凹部には埃除去具に貼着していない台紙が存在し、前記吊り下げ孔の少なくとも一部が凹部内に入り込んでいる構成である。
【０００７】
請求項２は、凹部によって分割された両シートの２つの先端のいずれよりも吊り下げ孔は凹部に入り込み、したがって、吊り下げ孔全体が凹部内に入り込んでいる要素が請求項１に付加された構成である。
【０００８】
【発明の効果】
請求項１は、埃除去具と剥離可能なその台紙の組合せであって、埃除去具に台紙が貼着され、台紙にはその台紙を吊り下げるための吊り下げ孔が設けられ、且つ吊り下げ孔は埃除去具に貼着していない台紙部分のみに設けられており、埃除去具は、被服等に付着している埃を取り去る埃除去シートと、該埃除去シートに重ねられた背面シートを有し、前記埃除去シートに粘着剤が塗布された粘着面が形成され、前記重ねられた両シートの間に指の挿入部を有し、且つ挿入部に指を挿し入れるための挿入口を有しており、前記挿入部は２又は３の挿入区域に分けられ、挿入区域は、前記両シートの先端から凹部を設けることにより形成されており、凹部には埃除去具に貼着していない台紙が存在し、前記吊り下げ孔の少なくとも一部が凹部内に入り込んでいる。したがって、孔が凹部内に入り込んだ分だけ台紙の長さを短くすることができる。また、吊り下げ棒に吊り下げられているときに埃除去具を台紙ごと下に引くことによって台紙が破れて簡単に外すことができる。
【０００９】
請求項２は、凹部によって分割された両シートの２つの先端のいずれよりも吊り下げ孔は凹部に入り込み、したがって、吊り下げ孔全体が凹部内に入り込んでいる。これにより両シートの先端を台紙の縁に近づけることができるから、台紙の長さを埃除去具の長さとほぼ同じにすることができて台紙をより短くすることができる。
【００１０】
【発明の実施の形態】
次に本発明の実施の形態を図面に従って説明する。図１に示す埃除去具１の埃除去シート２と背面シート４は重ねられて周縁が接着されている。埃除去シート２の粘着面は図１又は図２の紙面の裏側の面であって、この粘着面に粘着剤が塗布されている。粘着剤としては例えばセロハンテープに使用されている粘着剤が使用されるが、他の粘着剤であっても差し支えない。埃除去シート２の先端中央には凹部３が設けられている。
【００１１】
背面シート４は薄くて透明なプラスチックのシートを材料とし、埃除去シート２と同じ形をなし、それよりもやや短く形成されている。先端には凹部３が設けられている。したがって、埃除去シート２と背面シート４の先端縁及び両側縁は一致しており、所定幅の縁部５に沿って両シート２，４は接着されている。後縁は接着されておらず、挿入口６が形成されている。前述したように背面シート４は埃除去シート２よりも短いから、埃除去シート２の後部は挿入口６よりも後方に延びている。これによって、挿入口６に指を挿入し易いのである。
【００１２】
両シート２，４の間の中空部は挿入口６から連通する挿入部７であって、凹部３を設けることによってその挿入部７は２つの挿入区域８，９に分けられている。両挿入区域８，９の先方はそれらの一部をなす指先挿入部１８，１９として画定されている。挿入区域８，９の先端部すなわち指先挿入部１８，１９の先端部は閉じられているが、本発明はこれに限定されるものでなく先端が開放されていてもよい。
【００１３】
前述したように凹部３が中央に設けられているので２つの挿入区域８，９は対称的に形成され、したがって、それらの長さと幅は同じである。ただし、本発明はこのような構成に限定されるものでなく、凹部３が中央になくてもよく、挿入区域８，９の幅や長さが異なっていてもよい。また、片方の挿入区域を指が２本入る大きさにして全体で３本の指を挿入できるようにしてもよいし、３つの挿入区域を設けて３本の指を挿入できるようにしてもよい。凹部３は浅めに形成されているがもっと深いものであってもよい。挿入口６についても両シート２，４の後部を接着せずに開放したものに限定されるものでなく、例えば両シート２，４の後部を接着し、背面シート４にスリットを設けてそれを挿入口としても差し支えない。スリットは１つでもよく指の本数に分けてもよい。
【００１４】
図３は、埃除去シート２に台紙１５が貼着されている状態を示している。台紙１５は表面に剥離剤が塗布されており、その台紙１５の上部に吊り下げ孔１６が設けられ、この吊り下げ孔１６の全体が凹部３に入り込んでいる。吊り下げ孔１６の一部のみが凹部３内に入り込んでもよいことは勿論である。吊り下げ孔１６を凹部３に入り込むように設けることによって、吊り下げ孔１６を埃除去具１の上部に設けた場合よりも台紙１５の長さを短くすることができる。また、吊り下げ孔１６を埃除去具に貼着していない台紙部分のみに設けることによって、吊り下げ孔１６にハンガーを通して台紙１５を吊り下げておいた場合に、台紙１５をずらしてハンガーから外さなくても台紙１５を下に引くことによって台紙が破れて容易に外すことができる。埃除去具１を使用するときは、まず指を挿入区域８，９に挿入し、台紙１５の隅を摘んで台紙１５を粘着面１７から剥がせばよい。台紙１５は埃除去具１よりも大きいからはみ出しており、そのはみ出し部分を指で摘むことができる。
【００１５】
【実施例】
図４は実施例であり、凹部１１はやや左寄りに形成されている。これによって左側の挿入区域１２は右側の挿入区域１３よりも幅が狭く、左側の指先挿入部２０は右側の指先挿入部２１よりも細い。通常、左側の挿入区域１２には人差し指が挿入され右側の挿入区域１３には人差し指よりも太い中指が挿入されるので、挿入される指の太さに合わせて形成されている。また、右側の指先挿入部２１は左側の指先挿入部２０よりも先方へ延びている。これは、人差し指よりも中指の方が長いのでそれに合わせたものである。
【図面の簡単な説明】
【図１】  本発明の使用状態図
【図２】  本発明の背面図
【図３】  本発明を台紙に貼付した状態図
【図４】  実施例の背面図
【符号の説明】
１  埃除去具
２  埃除去シート
３  凹部
４  背面シート
５  縁部
６  挿入口
７  挿入部
８  挿入区域
９  挿入区域
１１  凹部
１２  挿入区域
１３  挿入区域
１４  背面シート
１５  台紙
１６  吊り下げ孔
１８  指先挿入部
１９  指先挿入部
２０  指先挿入部
２１  指先挿入部
【図１】
0004204888.tif 000002
【図２】
0004204888.tif 000003
【図３】
0004204888.tif 000004
【図４】
0004204888.tif 000005